(57)【要約】【課題】発送人が配送物が無事に受取人の手元まで届いたことをリアルタイムで知ることができる通信システム等を提供すること。【解決手段】配送側端末は、郵便物／荷物１２に装着するＲＦＩＤに発送者情報、受取人情報および配送品情報を書き込み、郵便ポスト／宅配ボックス２３のＲＦＩＤリーダは、郵便物／荷物１２に装着されたＲＦＩＤを読み取ることで郵便物／荷物１２が到着した後に取り除かれたことを検知し、発送者パソコン１１にその旨を通知する。【選択図】図１
2011116516.tif 000002
【特許請求の範囲】
【請求項１】
配送側端末は、配送品に装着するＲＦＩＤに発送者情報、受取人情報および配送品情報を書き込み、配送品受領ボックス装置のＲＦＩＤリーダは、配送品に装着されたＲＦＩＤを読み取ることで配送品が到着した後に取り除かれたことを検知し、発送者側端末にその旨を通知することを特徴とする配送システム。
【請求項２】
前記発送者側端末にその旨を通知するのはＥメールによることを特徴とする請求項１記載の配送システム。
【請求項３】
前記配送品受領ボックス装置のＲＦＩＤリーダは、前記配送品に装着されたＲＦＩＤを読み取ることで配送品が到着したことを検知し、前記受取人側端末および前記配送側装置にその旨を通知し、さらに前記配送品受領ボックス装置のＲＦＩＤリーダは、前記配送品に装着されたＲＦＩＤを読み取ることで配送品が到着した後に取り除かれたことを検知し、前記配送側装置にもその旨を通知することを特徴とする請求項１または２記載の配送システム。
【請求項４】
前記配送品受領ボックス装置のＲＦＩＤリーダは、前記配送品に装着されたＲＦＩＤを読み取ることで前記配送品情報から配送品の種類を検出し、前記配送品受領ボックス装置内の温度を所定の温度に調節することを特徴とする請求項１から３のいずれか１項に記載の配送システム。
【請求項５】
ＲＦＩＤリーダにより、配送品に装着された発送者情報、受取人情報および配送品情報が書き込まれたＲＦＩＤを読み取ることで配送品が到着した後に取り除かれたことを検知し、発送者側端末にその旨を通知することを特徴とする配送品受領ボックス装置。
【請求項６】
前記発送者側端末にその旨を通知するのはＥメールによることを特徴とする請求項５記載の配送品受領ボックス装置。
【請求項７】
前記ＲＦＩＤリーダは、前記配送品に装着されたＲＦＩＤを読み取ることで配送品が到着したことを検知し、受取人側端末および配送側装置にその旨を通知し、さらに前記ＲＦＩＤリーダは、前記配送品に装着されたＲＦＩＤを読み取ることで配送品が到着した後に取り除かれたことを検知し、前記配送側装置にもその旨を通知することを特徴とする請求項５または６記載の配送品受領ボックス装置。
【請求項８】
ＲＦＩＤリーダにより、前記配送品に装着されたＲＦＩＤを読み取ることで前記配送品情報から配送品の種類を検出し、自配送品受領ボックス装置内の温度を所定の温度に調節することを特徴とする請求項５から７のいずれか１項に記載の配送品受領ボックス装置。
【請求項９】
配送側端末が、配送品に装着するＲＦＩＤに発送者情報、受取人情報および配送品情報を書き込むステップと、配送品受領ボックス装置のＲＦＩＤリーダが、配送品に装着されたＲＦＩＤを読み取ることで配送品が到着した後に取り除かれたことを検知するステップと、配送品受領ボックス装置が発送者側端末に配送品が到着した後に取り除かれたことを通知するステップとを有することを特徴とする配送方法。
【請求項１０】
前記発送者側端末にその旨を通知するのはＥメールによることを特徴とする請求項９記載の配送方法。
【請求項１１】
前記配送品受領ボックス装置のＲＦＩＤリーダが、前記配送品に装着されたＲＦＩＤを読み取ることで配送品が到着したことを検知するステップと、前記配送品受領ボックス装置が前記受取人側端末および前記配送側装置にその旨を通知するステップと、さらに配送品受領ボックス装置が、前記配送側装置にも配送品が到着した後に取り除かれたことを通知するステップとを有することを特徴とする請求項９または１０記載の配送方法。
【請求項１２】
前記配送品受領ボックス装置のＲＦＩＤリーダが、前記配送品に装着されたＲＦＩＤを読み取ることで前記配送品情報から配送品の種類を検出し、前記配送品受領ボックス装置内の温度を所定の温度に調節するステップを有することを特徴とする請求項９から１１のいずれか１項に記載の配送方法。
【発明の詳細な説明】
【技術分野】
【０００１】
本発明は、ＲＦＩＤを装着した配送物を配送する技術に関する。
【背景技術】
【０００２】
郵便物／荷物の配送は日常的に行われており、インターネットショッピングが本格的になっている現代では今後さらに配送の物量が多くなることが予想される分野である。
【０００３】
受取人は、郵便ポストに郵便物が配送されたかどうかは、郵便ポストを物理的に開けることでしか確認することができないという問題点があった。また宅配業者は、宅配ボックスに入れると受取人の受領印（配送記録）がもらえないため、配送したのに受け取っていないというクレームを受けることがあり、基本的に宅配ボックスを使用しないという問題点があった。
【０００４】
関連技術として、配送物受け箱内には、バーコードリーダ及び非接触ＩＣタグリーダを備える情報出力装置が設けられ、情報出力装置は、バーコードリーダ等が読み取ったデータをホームサーバに送出し、ホームサーバは、情報出力装置から情報を受け取ると、ダイヤルアップ接続を行ってプロバイダに接続し、情報送信サービスサイトに居住者の携帯電話へメール送信を依頼し、この依頼を受けたサイトが居住者の携帯電話にメール送信することにより、居住者は外出先でも自宅の配送物受け箱にバーコード等が付いた比較的重要な配送物が投函されたことを知る技術が開示されている（例えば、特許文献１参照）。
【先行技術文献】
【特許文献】
【０００５】
【特許文献１】特開２００２−３２５６７６号公報
【発明の概要】
【発明が解決しようとする課題】
【０００６】
しかしながら、上記の関連技術では、発送者は郵便物／荷物などの配送物が受取人に届いたかリアルタイムで確認することは困難であった。
【０００７】
本発明の目的は、発送者が配送物が無事に受取人の手元まで届いたことをリアルタイムで知ることができる配送システム、配送品受領ボックス装置および配送方法を提供することにある。
【課題を解決するための手段】
【０００８】
本発明の配送システムは、配送側端末は、配送品に装着するＲＦＩＤに発送者情報、受取人情報および配送品情報を書き込み、配送品受領ボックス装置のＲＦＩＤリーダは、配送品に装着されたＲＦＩＤを読み取ることで配送品が到着した後に取り除かれたことを検知し、発送者側端末にその旨を通知することを特徴とする。
【０００９】
また、本発明の配送品受領ボックス装置は、ＲＦＩＤリーダにより、配送品に装着された発送者情報、受取人情報および配送品情報が書き込まれたＲＦＩＤを読み取ることで配送品が到着した後に取り除かれたことを検知し、発送者側端末にその旨を通知することを特徴とする。
【００１０】
また、本発明の配送方法は、配送側端末が、配送品に装着するＲＦＩＤに発送者情報、受取人情報および配送品情報を書き込むステップと、配送品受領ボックス装置のＲＦＩＤリーダが、配送品に装着されたＲＦＩＤを読み取ることで配送品が到着した後に取り除かれたことを検知するステップと、配送品受領ボックス装置が発送者側端末に配送品が到着した後に取り除かれたことを通知するステップとを有することを特徴とする。
【発明の効果】
【００１１】
本発明によれば、発送者が配送物が無事に受取人の手元まで届いたことをリアルタイムで知ることが可能となる。
【図面の簡単な説明】
【００１２】
【図１】本発明の実施の形態に係るシステム構成を示す図である。
【図２】本発明の実施の形態に係る宅配業者端末（荷物受取）１３の機能ブロック図である。
【図３】本発明の実施の形態に係る受取人のＥメール配信サーバ２１の機能ブロック図である。
【図４】本発明の実施の形態に係る管理サーバ２２の機能ブロック図である。
【図５】郵便ポスト／宅配ボックス２３の機能ブロック図である。
【図６】本発明の実施の形態に係るＷｅｂサーバ４１の機能ブロック図である。
【図７】本発明の実施の形態に係る配送記録確認サーバ４２の機能ブロック図である。
【図８】本発明の実施の形態に係る宅配業者のＥメール配信サーバ４３の機能ブロック図である。
【図９】本発明の実施の形態に係るフローチャートである。
【発明を実施するための形態】
【００１３】
以下、本発明の実施の形態について図面を参照して詳細に説明する。図１に示す本実施の形態における配送システムは、大きく分けて発送者宅１と、受取人宅２と、荷物持込場所３と、宅配業者のセンタ４、インターネット５から構成されている。
【００１４】
発送者宅１は、発送者パソコン１１と、郵便物／荷物１２と、宅配業者端末（荷物受取）１３を含む。
【００１５】
受取人宅２は、受取人のＥメール配信サーバ２１と、管理サーバ２２と、配送品受領ボックス装置としての郵便ポスト／宅配ボックス２３と、受取人のパソコン／携帯電話機２４を含む。
【００１６】
荷物持込場所３は、コンビニ端末３１と、宅配業者端末３２含む。
【００１７】
宅配業者のセンタ４は、Ｗｅｂサーバ４１と、配送記録確認サーバ４２と、宅配業者のＥメール配信サーバ４３を含む。
【００１８】
発送者パソコン１１と、宅配業者端末（荷物受取）１３と、受取人のＥメール配信サーバ２１と、郵便ポスト／宅配ボックス２３と、受取人のパソコン／携帯電話機２４と、コンビニ端末３１と、宅配業者端末３２と、Ｗｅｂサーバ４１と、配送記録確認サーバ４２と、宅配業者のＥメール配信サーバ４３とはインターネット５を介して相互に接続されている。なお、インターネットに限らず任意のネットワークにより接続されることであってよい。
【００１９】
発送者パソコン１１は、一般的なパソコンであり、インターネット５を介して宅配業者のＷｅｂサーバ４１へアクセスし、宅配業者が提供するＷｅｂサイトから事前に発送者情報と郵便物／荷物１２の受取人情報と荷物の詳細情報等を入力するために使用される。
【００２０】
郵便物／荷物１２は、発送者が受取人へ発送する対象であり、発送者から宅配業者へ渡り、受取人の郵便ポスト／宅配ボックス２３へ届けられる。郵便物／荷物１２にはＲＦＩＤ付き発送ラベルが貼られる。
【００２１】
宅配業者端末（荷物受取）１３は、発送者が発送する郵便物／荷物１２を受取人へ送るために、自宅へ荷物の受け取りに来た宅配業者が使用する端末である。宅配業者はＲＦＩＤライタとしての宅配業者端末（荷物受取）１３を持ち、インターネット５を介して、宅配業者のＷｅｂサーバ４１へアクセスし、発送者が事前に入力しておいた受取人情報等をダウンロードし、その情報をＲＦＩＤライタとしての宅配業者端末（荷物受取）１３を用いて、ＲＦＩＤ付き発送ラベルに書き込む。
宅配業者端末（荷物受取）１３の機能ブロック図を図２に示す。宅配業者端末（荷物受取）１３は、インターネット接続部Ａ１、Ｗｅｂサーバ４１の受取人データベースへのアクセス部Ａ２、データベースから受取人の情報をダウンロードし保存する保存部Ａ３、保存した受取人の情報をＲＦＩＤ付き発送ラベルのＲＦＩＤに書き込むＲＦＩＤライタ部Ａ４を備えている。
【００２２】
受取人のＥメール配信サーバ２１は、郵便ポスト／宅配ボックス２３に取り付けられたＲＦＩＤリーダが郵便物の到着を検出し、受取人のＥメール配信サーバ２１へ検出を知らせると、事前に登録された受取人のＥメールアドレスへ郵便物の到着を知らせるＥメールを送信するものである。
受取人のＥメール配信サーバ２１の機能ブロック図を図３に示す。受取人のＥメール配信サーバ２１は、インターネット接続部Ｂ１、郵便ポスト／宅配ボックス２３へ郵便物／荷物１２が到着したことを知らせる荷物到着検出を受信する受信部Ｂ２、受取人のＥメールアドレスを受取人情報データベースから検索する検索部Ｂ３、検索した受取人のＥメールアドレスへＥメールを送信する送信部Ｂ４、受取人宛に届いた荷物の一覧を作成する作成部Ｂ５、指定した時間に受取人へＥメールを配信するためのタイマー部Ｂ６、事前に受取人のＥメールアドレスを保存しておくための受取人情報データベースＢ７を備えている。
【００２３】
管理サーバ２２は、郵便ポスト／宅配ボックス２３に取り付けられたＲＦＩＤリーダが郵便物の到着を検出し、管理サーバへ検出を知らせた際、届いた郵便物がナマモノであることが判明すると、郵便ポスト／宅配ボックス内の温度を適切な温度に調節するように郵便ポスト／宅配ボックス２３へ命令を出すものである。
管理サーバ２２の機能ブロック図を図４に示す。管理サーバ２２は、インターネット接続部Ｃ１、郵便ポスト／宅配ボックス２３へ郵便物／荷物１２が到着したことを知らせる荷物到着検出を受信する受信部Ｃ２、郵便物／荷物１２がナマモノであった場合に郵便ポスト／宅配ボックス２３の温度を調節する命令を出す送信部Ｃ３を備えている。
【００２４】
郵便ポスト／宅配ボックス２３は、宅配業者から届けられた郵便物／荷物１２を格納する場所である。また、温度調節機能を持ち、郵便物がナマモノだった場合、管理サーバ２２から温度調節の命令を受け郵便ポスト／宅配ボックス２３内の温度を適切な温度に変更することができる。
郵便ポスト／宅配ボックス２３の機能ブロック図を図５に示す。郵便ポスト／宅配ボックス２３は、インターネットへの接続部Ｄ１、郵便物／荷物１２が到着したことを検出するためのＲＦＩＤリーダ部Ｄ２、郵便物／荷物１２が到着したことを検出する検出部Ｄ３、郵便物／荷物１２が到着を検出したことを送信する送信部Ｄ４、温度調節命令を受信する受信部Ｄ５、郵便ポスト／宅配ボックス２３内の温度を調節する調節部Ｄ６、郵便物／荷物１２が郵便ポスト／宅配ボックス２３から取り出されたことを検出する検出部Ｄ７、郵便物／荷物１２が郵便ポスト／宅配ボックス２３からの取り出しの検出を送信する送信部Ｄ８を備えている。
【００２５】
受取人パソコン／携帯電話機２４は、一般的なパソコン／携帯電話機の周知の機能を有し、受取人のＥメール配信サーバ２１から郵便物／荷物１２の到着を知らせるＥメールを受信するために使用される。
【００２６】
コンビニ端末３１は、発送者が発送する郵便物／荷物１２を受取人へ送るために、発送者が荷物を持ち込む場所であるコンビニに設置される端末である。コンビニ端末３１はＲＦＩＤライタ機能を持ち、インターネット５を介して、宅配業者のＷｅｂサーバ４１へアクセスし、発送者が事前に入力しておいた受取人情報等をダウンロードし、その情報をＲＦＩＤライタ機能を用いて、ＲＦＩＤ付き発送ラベルに書き込む。コンビニ端末３１の機能ブロック図は、宅配業者端末（荷物受取）１３と同様である。
【００２７】
宅配業者端末３２は、発送者が発送する郵便物／荷物１２を受取人へ送るために、発送者が荷物を持ち込む場所に備えられている端末である。宅配業者端末３２はＲＦＩＤライタ機能を持ち、インターネット５を介して、宅配業者のＷｅｂサーバ４１へアクセスし、発送者が事前に入力しておいた受取人情報等をダウンロードし、その情報をＲＦＩＤライタ機能を用いて、ＲＦＩＤ付き発送ラベルに書き込む。宅配業者端末３２の機能ブロック図は、宅配業者端末（荷物受取）１３と同様である。
【００２８】
Ｗｅｂサーバ４１は、宅配業者のＷｅｂサイトを提供している。Ｗｅｂサーバ４１の機能ブロック図を図６に示す。Ｗｅｂサーバ４１は、インターネット接続部Ｅ１、発送者が最初にアクセスするためのＷｅｂサイト提供部Ｅ２、受取人の情報を登録する登録部Ｅ３、発送する郵便物／荷物１２の情報を登録する登録部Ｅ４、発送者の情報を登録する登録部Ｅ５、受取人・郵便物／荷物１２情報を登録するデータベースＥ６、発送者のＥメールアドレス等の情報を保存するデータベースＥ７を備えている。なお、発送者と、郵便物／荷物と、受取人との各情報は紐付けられて登録・管理される。
【００２９】
配送記録確認サーバ４２は、郵便ポスト／宅配ボックス２３に取り付けられたＲＦＩＤリーダが郵便物の到着を検出し、配送記録確認サーバ４２への配送完了通知を受信するものである。
配送記録確認サーバ４２の機能ブロック図を図７に示す。配送記録確認サーバ４２は、インターネット接続部Ｆ１、郵便ポスト／宅配ボックス２３へ郵便物／荷物１２が到着したことを知らせる荷物到着検出を受信する受信部Ｆ２を備えている。
【００３０】
宅配業者のＥメール配信サーバ４３は、受取人が郵便ポスト／宅配ボックス２３から郵便物／荷物１２を取り出すと、郵便ポスト／宅配ボックス２３に取り付けられたＲＦＩＤリーダが郵便物／荷物１２が郵便ポスト／宅配ボックス２３から取り除かれたことを検出し、宅配業者のＥメール配信サーバ４３へ通知する。その通知を受け取ると、宅配業者のＥメール配信サーバ４３は、受取人の手元へ郵便物／荷物１２が渡ったことを知らせる旨のＥメールを発送者パソコン１１へ送信する。
宅配業者のＥメール配信サーバ４３の機能ブロック図を図８に示す。宅配業者のＥメール配信サーバ４３は、インターネット接続部Ｇ１、郵便ポスト／宅配ボックス２３へ郵便物／荷物１２が到着したことを知らせる荷物到着検出を受信する受信部Ｇ２、Ｗｅｂサーバ４１のデータベースへアクセスするアクセス部Ｇ３、Ｗｅｂサーバ４１の発送者情報データベースから対象の発送者のＥメールアドレスを検索する検索部Ｇ４、郵便物／荷物１２が受取人へ無事到着したことを知らせるためのＥメールを発送者パソコン１１へ送信する送信部Ｇ５を備えている。
【００３１】
次に、図１〜８及び図９のフローチャートを参照して本実施の形態の動作について詳細に説明する。
【００３２】
まず、発送者は発送者パソコン１１から宅配業者のＷｅｂサーバ４１のＷｅｂサイト提供部Ｅ２が提供するＷｅｂサイトへアクセスする（図９のステップＺ１）。
次に、Ｗｅｂサイトの荷物発送ページへログインする（ステップＺ２）。
次に、受取人の情報、郵便物／荷物１２の情報、発送者の情報などを、受取人の情報を登録する登録部Ｅ３、発送する郵便物／荷物１２の情報を登録する登録部Ｅ４、発送者の情報を登録する登録部Ｅ５、受取人・郵便物／荷物１２情報を登録するデータベースＥ６、発送者のＥメール等の情報を保存するデータベースＥ７に登録する（ステップＺ３）。
【００３３】
次に、宅配業者への荷物の引渡し方法（ステップＺ４）がコンビニ／宅配業者へ持込みの場合、コンビニ／宅配業者へ郵便物／荷物１２を持込む（ステップＺ５）。
一方、宅配業者への荷物の引渡し方法（ステップＺ４）が宅配業者引取りの場合、発送者は電話で宅配業者を自宅へ呼び出す（ステップＺ６）。
【００３４】
次に、コンビ二端末３１、宅配業者端末３２のインターネット接続部Ａ１、Ｗｅｂサーバ４１の受取人データベースへのアクセス部Ａ２により宅配業者のＷｅｂサーバ４１へアクセスし、ステップＺ３で登録した情報を、データベースから受取人の情報をダウンロードし保存する保存部Ａ３により端末へ保存し、保存した受取人の情報をＲＦＩＤ付き発送ラベルのＲＦＩＤに書き込むＲＦＩＤライタ部Ａ４によりＲＦＩＤ付き発送ラベルへ書き込む（ステップＺ７）。
次に、ＲＦＩＤ付き発送ラベルが貼り付けられた郵便物／荷物１２を宅配業者へ引渡す（ステップＺ８）。
次に、宅配業者はＲＦＩＤ付き発送ラベルが貼り付けられた郵便物／荷物１２を受取人の郵便ポスト／宅配ボックス２３へ届ける（ステップＺ９）。
【００３５】
次に、郵便ポスト／宅配ボックス２３は、郵便物／荷物１２が到着したことを検出するためのＲＦＩＤリーダ部Ｄ２によりＲＦＩＤ付き発送ラベルが貼り付けられた郵便物／荷物１２のＲＦＩＤを読み取り、郵便物／荷物１２が到着したことを検出する検出部Ｄ３により郵便物／荷物１２が到着したことを検出する（ステップＺ１０）。
【００３６】
ここで、ＲＦＩＤリーダによりＲＦＩＤ付き発送ラベルが貼り付けられた郵便物／荷物１２のＲＦＩＤを読み取り、郵便物／荷物１２の中身がナマモノの場合（ステップＺ１１）、郵便物の中身がナマモノであることを管理サーバへ通知する（ステップＺ１２）。
次に、管理サーバはナマモノに適切な温度に郵便ポスト／宅配ボックス２３内の温度を調節するように、温度調節命令を郵便ポスト／宅配ボックス２３に出す（Ｃ３）（ステップＺ１３）。
次に、郵便ポスト／宅配ボックス２３の温度調節命令を受信する受信部Ｄ５は温度調節命令を受信し（Ｄ５）、郵便ポスト／宅配ボックス２３内の温度を調節する調節部Ｄ６により郵便ポスト／宅配ボックス２３内の温度を適切な温度に調節する（ステップＺ１４）。
【００３７】
次に、郵便ポスト／宅配ボックス２３の郵便物／荷物１２が到着を検出したことを送信する送信部Ｄ４は宅配業者の配送記録確認サーバ４２へ郵便物／荷物１２が届けられたことを、通知する（ステップＺ１６）。
次に、宅配業者は配送記録確認サーバ４２で郵便物／荷物１２が届けられた旨の通知を受信することで、無事に郵便物／荷物１２が配送完了したことを確認する（ステップＺ１７）。
【００３８】
次に、郵便ポスト／宅配ボックス２３は受取人のＥメール配信サーバ２１へ郵便物／荷物１２が届けられたことを、通知する（ステップＺ１８）。
次に、受取人のＥメール配信サーバ２１は、事前に設定された時間にそれまでに届けられた郵便物／荷物１２の一覧を受取人の受取人パソコン／携帯電話機２４のＥメールアドレスへ送信する（ステップＺ１９）。
次に、受取人は受取人パソコン／携帯電話機２４のＥメールの受信により、自分宛に郵便物／荷物１２が届いたことを知る（ステップＺ２０）。
【００３９】
次に、受取人は郵便ポスト／宅配ボックス２３を開けることにより、郵便物／荷物１２を受領する（ステップＺ２１）。
次に、郵便ポスト／宅配ボックス２３は、郵便ポスト／宅配ボックス２３に取り付けられたＲＦＩＤリーダが郵便物／荷物１２が郵便ポスト／宅配ボックス２３から取り除かれたことを、郵便物／荷物１２が郵便ポスト／宅配ボックス２３から取り出されたことを検出する検出部Ｄ７により検出し、郵便物／荷物１２が郵便ポスト／宅配ボックス２３からの取り出しの検出を送信する送信部Ｄ８により郵便物／荷物１２が取り出されたことを宅配業者のＥメール配信サーバ４３へ通知する（ステップＺ２２）。
次に、宅配業者のＥメール配信サーバ４３の郵便ポスト／宅配ボックス２３へ郵便物／荷物１２が到着したことを知らせる荷物到着検出を受信する受信部Ｇ２はその通知を受信し、Ｗｅｂサーバ４１のデータベースへアクセスするアクセス部Ｇ３がデータベースへアクセスし、Ｗｅｂサーバ４１の発送者情報データベースから対象の発送者のＥメールアドレスを検索する検索部Ｇ４が発送者情報データベースから対象の発送者のＥメールアドレスを検索し、郵便物／荷物１２が受取人へ無事到着したことを知らせるためのＥメールを発送者パソコン１１へ送信する送信部Ｇ５により発送者の発送者パソコン１１へＥメールを送信する（ステップＺ２３）。
次に、発送者は発送者パソコン１１がＥメールを受信することにより、郵便物／荷物１２が受取人まで無事届けられたことを知る（ステップＺ２４）。
【００４０】
上記の本実施の形態によれば、発送者が郵便物／荷物が無事に受取人の手元まで届いたことをリアルタイムで知ることができる。その理由は、ＲＦＩＤにより郵便ポスト／宅配ボックスまで郵便物／荷物が届き、さらに受取人により郵便ポスト／宅配ボックスから取り出されたところまでを検出し、この検出を元に発送者へＥメールを送信することができるためである。
【００４１】
また、受取人が郵便ポスト／宅配ボックスへ自分宛の郵便物／荷物が届いたことをＥメールによって認識することができる。その理由は、ＲＦＩＤにより郵便ポスト／宅配ボックスまで郵便物／荷物が届いたことを検出し、この検出を元に受取人へＥメールを送信することができるためである。
【００４２】
また、宅配業者が受取人に渡さなくても配送記録を残すことができる。その理由は、ＲＦＩＤにより郵便ポスト／宅配ボックスに郵便物／荷物を届いたことを検出し、配送記録確認サーバへ通知することができるためである。
【００４３】
なお、上述する各実施の形態は、本発明の好適な実施の形態であり、本発明の要旨を逸脱しない範囲内において種々変更実施が可能である。例えば、発送者パソコン１１、宅配業者端末（荷物受取）１３、受取人のＥメール配信サーバ２１、管理サーバ２２、郵便ポスト／宅配ボックス２３、受取人のパソコン／携帯電話機２４、コンビニ端末３１、宅配業者端末３２、Ｗｅｂサーバ４１、配送記録確認サーバ４２および宅配業者のＥメール配信サーバ４３等の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
本発明は、一般的な郵便物／荷物などの配送物を発送し受け取るという用途に適用できる。また、ＲＦＩＤを切手に取り付けることで封筒や葉書の配送といったものの配送にも適用可能である。
【符号の説明】
【００４４】
１    発送者宅
２    受取人宅
３    荷物持込場所
４    宅配業者のセンタ
５    インターネット
１１    発送者パソコン
１２    郵便物／荷物
１３    宅配業者端末（荷物受取）
２１    受取人のＥメール配信サーバ
２２    管理サーバ
２３    郵便ポスト／宅配ボックス
３１    コンビニ端末
３２    宅配業者端末
４１    Ｗｅｂサーバ
４２    配送記録確認サーバ
４３    宅配業者のＥメール配信サーバ
【図１】
2011116516.tif 000003
【図２】
2011116516.tif 000004
【図３】
2011116516.tif 000005
【図４】
2011116516.tif 000006
【図５】
2011116516.tif 000007
【図６】
2011116516.tif 000008
【図７】
2011116516.tif 000009
【図８】
2011116516.tif 000010
【図９】
2011116516.tif 000011